(57)【要約】      （修正有）【課題】点消灯の操作に対する煩わしさが軽減される直線状光源を有する照明器具を提供する。【解決手段】照明器具１は、長尺の器具本体２と、器具本体２の長手方向両端側２ｃ，２ｄに正対するように設けられた一対のソケット３，４と、一対のソケット３，４に着脱される直管形発光ランプ５と、入力側が電源に接続され、直管形発光ランプ５を点灯する点灯装置６と、器具本体２の長手方向両端側２ｃ，２ｄにそれぞれ設けられ、点灯装置６への電源の入力をオンオフする一対の３路スイッチ７，７と、を具備している。【選択図】図１
2015032409.tif 000002
【特許請求の範囲】
【請求項１】
長尺の器具本体と；  この器具本体の長手方向両端側に正対するように設けられた一対のソケットと；  この一対のソケットに着脱される直管形発光ランプと；  入力側が電源に接続され、前記直管形発光ランプを点灯する点灯装置と；  前記器具本体の長手方向両端側にそれぞれ設けられ、前記点灯装置への電源の入力をオンオフする一対の３路スイッチと；を具備していることを特徴とする照明器具。
【請求項２】
長尺の器具本体と；  この器具本体の長手方向に沿って配設される長尺の基板およびこの基板の一面側に設けられた半導体発光素子を有する発光体と；  前記基板の他面側の前記器具本体に設けられ、入力側が外部電源に接続され出力側が前記発光体に接続され、前記半導体発光素子を点灯する点灯装置と；  前記器具本体の長手方向両端側にそれぞれ設けられ、前記点灯装置への外部電源の入力をオンオフする一対の３路スイッチと；を具備していることを特徴とする照明器具。
【発明の詳細な説明】
【技術分野】
【０００１】
本発明の実施形態は、天井や壁などの頭上に設置される直線状の光源を有する照明器具に関する。
【背景技術】
【０００２】
オフィス、台所や棚などの照明器具には、従来、直管形蛍光ランプが使用されてきたが、消費電力が少なく、長寿命であるＬＥＤを光源とする直管形ＬＥＤランプが使用されつつある。当該照明器具には、プルスイッチの引き紐の操作により直管形ＬＥＤランプを点消灯させているものがある（例えば特許文献１または２参照。）。すなわち、直管形ＬＥＤランプは、消費電力が少ないとは言え、例えばオフィスにおける不要の照明においては個別に消灯されている。また、台所や棚などの照明器具においては、プルスイッチが電源スイッチとなっているものがある。プルスイッチの引き紐は、照明器具の長手方向の両端側または中央のいずれか一ヶ所に設けられている。  
【０００３】
また、照明器具にプルスイッチを設けるのではなく、直管形ＬＥＤランプにプルスイッチを設けているものがある（特許文献３参照。）。当該直管形ＬＥＤランプは、一端側の支持部（口金部）からプルスイッチの引き紐が垂下し、この引き紐を引っ張ることにより点消灯または調光点灯する。
【先行技術文献】
【特許文献】
【０００４】
【特許文献１】特開２０１３−１２０６７２号公報（第７頁、第１５図）
【特許文献２】特開２００６−３１９６９号公報（段落番号（００８９））
【特許文献３】実用新案登録第３１４７６０８号公報（第４−５頁、第１，５図）
【発明の概要】
【発明が解決しようとする課題】
【０００５】
直管形ＬＥＤランプは、その全長が経年とともに長くなってきており、４０Ｗ形蛍光ランプから１１０Ｗ形蛍光ランプの全長を有するものが提供されている。このため、引き紐を引っ張り操作するために身体を移動しなければならないことがあり、煩わしさを感じることがある。  
【０００６】
本実施形態は、点消灯の操作に対する煩わしさが軽減される直線状光源を有する照明器具を提供することを目的とする。
【課題を解決するための手段】
【０００７】
本実施形態の照明器具は、器具本体、一対のソケット、直管形発光ランプ、点灯装置および一対の３路スイッチを有して構成される。  
【０００８】
器具本体は、長尺に形成されている。一対のソケットは、器具本体の長手方向両端側に正対するように設けられている。そして、一対のソケットに直管形発光ランプが着脱される。  
【０００９】
点灯装置は、入力側が電源に接続されて、直管形発光ランプを点灯するように形成されている。  
【００１０】
一対の３路スイッチは、器具本体の長手方向両端側にそれぞれ設けられ、点灯装置への電源の入力をオンオフする。
【発明の効果】
【００１１】
本実施形態の照明器具によれば、器具本体の長手方向両端側において３路スイッチをオンオフ操作することにより、直管形発光ランプが点消灯されるので、当該点消灯の操作をするための身体の移動範囲が小さくなり、これにより、直管形発光ランプの点消灯の操作に対する煩わしさが軽減することが期待できる。
【図面の簡単な説明】
【００１２】
【図１】本発明の第１の実施形態を示す照明器具の概略横断面図である。
【図２】同上、照明器具の一部切欠き概略下面図ある。
【図３】同上、直管形発光ランプを示し、（ａ）は概略正面図、（ｂ）は概略下面図、（ｃ）は概略左側面図、（ｄ）は概略右側面図である。
【図４】同上、３路スイッチの切り換えを示す概念図である。
【図５】同上、照明器具の概略配線図である。
【図６】本発明の第２の実施形態を示す照明器具の概略横断面図である。
【発明を実施するための形態】
【００１３】
以下、本発明の一実施の形態について、図面を参照して説明する。まず、本発明の第１の実施形態について説明する。  
【００１４】
本実施形態の照明器具１は、図１および図２に示すように構成されている。図１において、照明器具１は、例えば棚下灯であり、器具本体２、一対のソケット３，４、直管形発光ランプとしての直管形ＬＥＤランプ５、点灯装置６および一対の３路スイッチ７，７を有して構成されている。  
【００１５】
器具本体２は、例えば厚さ０．８ｍｍの平板状の溶融亜鉛めっき鋼板（ＳＧＣ）からなり、長尺の例えば長方形に形成されている。そして、器具本体２は、その長手方向両端側２ｃ，２ｄに一対の取付け体８，８を取付けている。取付け体８，８は、例えば溶融亜鉛めっき鋼板（ＳＧＣ）からなり、Ｌ形に折曲された略長方形の平板に形成されている。そして、取付け体８，８は、それぞれねじ９により、器具本体２の内面２ｂに正対するように取り付けられている。この取付け体８，８に、一対のソケット３，４が正対するようにねじ（符号を付さない。）により取り付けられている。  
【００１６】
一対のソケット３，４は、直管形ＬＥＤランプ５を取り付けるものであり、例えば、一般社団法人  日本電球工業会規格（ＪＥＬ８０１：２０１０）のソケットに形成されている。例えば、ソケット３は、形名ＤＦＳ−１２０２であり、ソケット４は、形名ＤＦＳ−０１０２である。一対のソケット３，４は、取付け体８，８に取り付けられていることにより、器具本体２の長手方向両端側２ｃ，２ｄに正対するように設けられている。  
【００１７】
直管形ＬＥＤランプ５は、図３に示すように、直管１０、発光体１１、取付け体１２および一対の口金１３，１４を有して形成されている。直管１０は、透光性のガラスまたは合成樹脂例えばポリカーボネート樹脂からなり、長尺の円筒に形成されている。発光体１１は、基板１５およびこの基板１５の一面１５ａに実装された複数個のＬＥＤ素子１６を有してなる。基板１５は、例えばガラスエポキシ材からなり、長尺の長方形に形成されている。また、ＬＥＤ素子１６は、例えば白色光を放射するパッケージ品であり、基板１５の一面１５ａに等間隔に、本実施形態では２列に設けられている。複数個のＬＥＤ素子１６は、基板１５に形成された不図示の配線パターンにより直並列接続されている。  
【００１８】
取付け体１２は、発光体１１を直管１０内に設けるものであり、高熱伝導率を有する金属例えばアルミニウム（Ａｌ）からなり、円弧状の柱体に形成されている。そして、取付け体１２は、ＬＥＤ素子１６の放射光が直管１０から所定の方向に出射するように、基板１５の他面１５ｂを密接して不図示のねじにより発光体１１を取り付けている。また、取付け体１２は、その長手方向両端に一対の口金１３，１４を取り付けている。  
【００１９】
一対の口金１３，１４は、一対のソケット３，４に着脱されるものであり、例えば、一般社団法人  日本電球工業会規格（ＪＥＬ８０１：２０１０）のＧＸ１６ｔ−５の口金に形成されている。口金１３は、給電端子側口金であり、ポリブチレンテレフタレート（ＰＢＴ）樹脂からなるボディ１７に一対の給電側ピン１８，１８を有している。また、口金１４は、アース端子側口金であり、ボディ１７に接地側ピン１９を有している。一対の口金１３，１４は、ねじ２０，２０により、直管１０を挟むようにして取付け体１２の長手方向両端に取り付けられている。  
【００２０】
そして、口金１３の一対の給電側ピン１８，１８は、発光体１１のＬＥＤ素子１６に電気接続されている。また、口金１４のアース側ピン１９は、取付け体１２に電気接続している。ＬＥＤ素子１６は、点灯装置６から所定の電流が供給されると点灯（発光）し、白色光を放射する。白色光は、透光性の直管１０を透過して外部空間に出射する。  
【００２１】
点灯装置６は、図２に示すように、器具本体２の内面２ｂに設けられている。すなわち、点灯装置６は、器具本体2の内面２ｂにねじ２１，２１により取り付けられている。そして、点灯装置６は、直管形ＬＥＤランプ５を点灯するように形成されており、その入力側が不図示の入力線により不図示の電源としての外部電源に接続され、その出力側が不図示の出力線によりソケット３に接続されている。すなわち、点灯装置６は、外部電源の交流電源を直流電源に変換して、所定の電流を直管形ＬＥＤランプ５に供給するように形成されている。  
【００２２】
器具本体２には、電源線を導入する導入孔２２、器具本体２を壁や天井などの造営物に取り付けるための一対の取付け孔２３，２３や一対の木ネジ用穴２４，２４（図２中、いずれも一方のみを示す。）などが設けられている。また、器具本体２は、その内面２ｂに端子台２５が設けられている。外部電源に接続されている電源線は、導入孔２２から器具本体２の内面側２ｂに引き込まれて、端子台２５に接続されている。点灯装置６の入力線は、端子台２５に接続されて、外部電源に接続されている。  
【００２３】
また、器具本体２は、図１に示すように、直管形ＬＥＤランプ５などを包囲するセード２６およびエンドカバー２７，２７を着脱可能に取り付けている。エンドカバー２７，２７は、器具本体２の長手方向両端側２ｃ，２ｄにセード２６を挟むように設けられている。セード２６は、透光性の例えばアクリル樹脂からなり、断面略Ｕ字状に形成されている。エンドカバー２７，２７は、それぞれスチロールからなり、セード２６の長手方向両端を塞ぐように形成されている。そして、一対の取付け体８，８には、直管形ＬＥＤランプ５よりも器具本体２の内面２ｂ側に、反射板２９が直管形ＬＥＤランプ５に対向するようにして符号を付さないねじにより取り付けられている。反射板２９は、例えば白色塗装された鋼板（ＣＧＣ）からなり、平板または断面コ字形に形成されている。  
【００２４】
そして、エンドカバー２７，２７内において、器具本体２の内面２ｂに３路スイッチ７，７が不図示のねじにより取り付けられている。３路スイッチ７，７は、本実施形態においては、それぞれ引き紐３０を有している。この引き紐３０，３０は、器具本体２から垂下するように器具本体２の長手方向両端側２ｃ，２ｄに設けられている。エンドカバー２７，２７には、引き紐３０を通す通孔３１が形成されている。引き紐３０の先端には、つまみ３２が取り付けられている。  
【００２５】
図５は、照明器具１の配線３３を示したものである。３路スイッチ７は、共通接点３４、ａ接点（常開接点）３５およびｂ接点（常閉接点）３６を有して構成されている。そして、３路スイッチ７，７のそれぞれのａ接点３５およびｂ接点３６は、互いにリード線３７，３８により接続されている。そして、一方の３路スイッチ７の共通接点３４は、端子台２５の中継端子３９ａにリード線４０により接続され、他方の３路スイッチ７の共通接点３４は、点灯装置６の一方の入力線４１ａが接続されている。点灯装置６の他方の入力線４１ｂは、端子台２５の中継端子３９ｂに接続されている。端子台２５の中継端子３９ａ，３９ｂには、電源としての外部電源Ｖｓの電源線４２，４２が接続されている。点灯装置６の出力線４３ａ，４３ｂは、不図示のソケット３を介して直管形ＬＥＤランプ５の給電側ピン１８，１８に接続されている。なお、直管形ＬＥＤランプ５のアース側ピン１９には、器具本体２に電気接続された不図示のアース線がソケット４を介して接続されている。  
【００２６】
各３路スイッチ７は、引き紐３０が引っ張られる毎に、ａ接点３５とｂ接点３６とが切り換わるように形成されている。そして、３路スイッチ７，７の共通接点３４，３４がリード線３８またはリード線３９により電気接続されると、外部電源Ｖｓが点灯装置６に入力されるものである。なお、ａ接点３５およびｂ接点３６は、切り換わりにより、互いに反対の接点となる。  
【００２７】
図４は、３路スイッチ７のａ接点３５とｂ接点３６との切り換えを示す概念図である。３路スイッチ７は、カム４４を備え、このカム４４の回転軸に４４ａにカム４４を図４中左回りに回転させる連結棒４５が結合されている。連結棒４５の先端に引き紐３０が取り付けられている。連結棒４５は、引き紐３０が最大引っ張られる毎にカム４４の回転軸４４ａを中心として振れて、カム４４を例えば６０°回転させる。  
【００２８】
カム４４は、鋸状の歯片４４ｂが回転軸４４ａ周りに６０°間隔で設けられている。そ
して、歯片４４ｂ，４４ｂ間の深さは、１２０°毎に異なっている。歯片４４ｂ，４４ｂ間には、略Ｌ形に形成された可動片４６の先端部４６ａが挿入される。また、可動片４６に並設するように固定片４７および可動片４８が設けられている。可動片４６には、共通接点３４，３４が設けられている。固定片４７にはｂ接点３６が設けられ、可動片４８にはａ接点３５が設けられている。  
【００２９】
可動片４６の先端部４６ａが深い歯片４４ｂ，４４ｂ間に挿入されると、図４（a）に示すように、可動片４６の共通接点３４と固定片４７のｂ接点３６が接触して電気接続される。そして、引き紐３０が引っ張られると、カム４４が回転する。このカム４４の回転により、可動片４６の先端部４６ａが歯片４４ｂに乗り上って、可動片４６が可動片４８側に振れて共通接点３４とａ接点３５とが接触し、可動片４６と可動片４８とがさらに触れる。そして、可動片４６の先端部４６ａが歯片４４ｂに乗り超えると、可動片４６の先端部４６ａは、図４（ｂ）に示すように、浅い歯片４４ｂ，４４ｂ間に挿入される。これにより、可動片４６の共通接点３４と可動片４８のａ接点３５とが接触して電気接続され、可動片４６の共通接点３４と可動片４７のｂ接点３６とが離れて電気接続しなくなる。  
【００３０】
こうして、引き紐３０が引っ張られることにより、共通接点３４でａ接点３５とｂ接点３６とが切り換わるものである。一対の３路スイッチ７，７は、図５に示すように、いずれかの引き紐３０が引っ張られることにより、点灯装置６への外部電源Ｖｓの入力をオンオフする。  
【００３１】
次に、本発明の第１の実施形態の作用について述べる。  
【００３２】
照明器具１は、一対の３路スイッチ７，７の共通接点３４，３４同士が引き紐３０の引っ張り操作により電気接続されると、外部電源Ｖｓが点灯装置６に供給される。点灯装置６は、所定の電流を直管形ＬＥＤランプ５に出力する。直管形ＬＥＤランプ５は、ＬＥＤ素子１６が点灯して、白色光を放射する。白色光は、セード２６を透過して外部空間に出射される。  
【００３３】
そして、直管形ＬＥＤランプ５か点灯しているときに、３路スイッチ７，７のいずれか一方の引き紐３０を引っ張ると、当該３路スイッチ７のａ接点３５とｂ接点３６とが切り換わり、３路スイッチ７，７の共通接点３４，３４同士が電気接続されなくなる。外部電源Ｖｓが点灯装置６に供給されなくなり、直管形ＬＥＤランプ５は消灯する。  
【００３４】
３路スイッチ７，７は、器具本体２の長手方向両端側２ｃ，２ｄに設けられているので、引き紐３０，３０は、器具本体２の長手方向両端側２ｃ，２ｄから垂下している。直管形ＬＥＤランプ５の点消灯は、引き紐３０，３０のいずれか一方を引っ張り操作することにより行えるので、器具本体２が長尺に形成されていても、引き紐３０を引っ張り操作するために身体を移動させる範囲が小さくなっている。  
【００３５】
本実施形態の照明器具１によれば、器具本体２の長手方向両端側２ｃ，２ｄから垂下している引き紐３０，３０のいずれか一方を引っ張り操作することにより、直管形発光ランプ５が点消灯されるので、引き紐３０の引っ張り操作をするための身体の移動範囲が小さくなり、これにより、引き紐３０の引っ張り操作に対する煩わしさが軽減することができるという効果を有する。  
【００３６】
なお、本実施形態において、直管形ＬＥＤランプ５の発光体１１は、半導体発光素子としてＬＥＤ素子１６を用いたが、これに限らず、ＬＥＤチップを基板１５にＣＯＢ（Chip On Board）方式によって設けて形成してもよい。また、半導体発光素子として、有機エレクトロルミネセンス（ＥＬ）素子を用いてもよい。  
【００３７】
また、本実施形態の照明器具１は、棚下灯以外の直付け形照明器具や吊り下げ形照明器具などであってもよい。  
【００３８】
また、直管形ＬＥＤランプ５は、点灯装置６の構成を内蔵するように形成されてもよい。例えば、直管１０に収納された平面状の放熱板の一面側に発光体１１を設け、放熱板の他面側に点灯装置を設けてもよい。この点灯装置は、例えば長方形の基板上に電子部品などを実装して形成され、入力側が給電用ピン１８，１８に接続され、出力側が発光体１１に接続される。そして、入力側が３路スイッチ７，７を介して電源としての外部電源Ｖｓに接続される。  
【００３９】
次に、本発明の第２の実施形態について説明する。  
【００４０】
図６は、本実施形態の照明器具５１を示す概略縦断面図である。なお、図１と同一部分には、同一符号を付して説明は省略する。  
【００４１】
照明器具５１は、図１に示す照明器具１において、直管形ＬＥＤランプ５に替えて発光体５２が設けられ、また、反射板２９に替えてヒートシンクである放熱板５３がそれぞれ設けられたものである。放熱板５３は、高熱伝導率を有する金属例えばアルミニウム（Ａｌ）からなり、例えば３〜５ｍｍの板厚を有する平板に形成され、取付け体８，８にねじ（符号を付さない。）により取り付けられている。  
【００４２】
発光体５２は、長尺の基板５４およびこの基板５４の一面５４ａに実装された複数個のＬＥＤ素子５５を有してなる。基板５４は、例えばガラスエポキシ材からなり、長尺の長方形に形成されている。また、ＬＥＤ素子５５は、例えば白色光を放射するパッケージ品であり、基板５４の一面５４ａに等間隔に、かつ複数列例えば２列に設けられている。複数個のＬＥＤ素子５５は、基板５４に形成された不図示の配線パターンにより直並列接続されている。  
【００４３】
発光体５２は、基板５４の他面５４ｂを密接して、不図示のねじにより放熱板５３に取り付けられている。これにより、基板５４は、器具本体２の長手方向に沿って配設されている。点灯装置６は、基板５４の他面５４ｂ側に設けられ、その出力線４３ａ，４３ｂ（図示しない。）が基板５４に設けられた不図示のコネクタに接続されて、発光体５２のＬＥＤ素子５５に接続されている。点灯装置６に外部電源Ｖｓが供給されると、ＬＥＤ素子５５に所定の電流が供給され、ＬＥＤ素子５５は、点灯（発光）して白色光を放射する。  
【００４４】
ＬＥＤ素子５５から放射された白色光は、セード２６を透過して外部空間に出射される。そして、ＬＥＤ素子５５の点灯により発生した熱は、放熱板５３に熱伝導され、放熱板５３から取付け体８，８を経由して器具本体２に熱伝導され、または、放熱板５３から輻射により器具本体２に伝熱されて、器具本体２から外部に放熱される。  
【００４５】
そして、器具本体２の長手方向両端側２ｃ，２ｄから垂下している引き紐３０，３０のいずれか一方を引っ張り操作することにより、点灯装置６への外部電源Ｖｓの入力がオンオフされて、発光体５２のＬＥＤ素子５５が点消灯される。  
【００４６】
本実施形態の照明器具５１によれば、器具本体２の長手方向両端側２ｃ，２ｄから垂下している引き紐３０，３０のいずれか一方を引っ張り操作することにより、発光体５２のＬＥＤ素子５５が点消灯されるので、引き紐３０の引っ張り操作をするための身体の移動範囲が小さくなり、これにより、引き紐３０の引っ張り操作に対する煩わしさが軽減することができるという効果を有する。  
【００４７】
なお、本実施形態において、発光体５２は、半導体発光素子としてＬＥＤ素子５５を用いたが、これに限らず、ＬＥＤチップを基板５４にＣＯＢ（Chip On Board）方式によって設けて形成してもよい。また、半導体発光素子として、有機エレクトロルミネセンス（ＥＬ）素子を用いてもよい。  
【００４８】
また、第１および第２の実施形態において、３路スイッチ７は、引き紐３０を有して構成しているが、引き紐３０に替えて、シーソー型ハンドルやレバーなどを器具本体２から外部空間に露出するように設けてもよい。この場合も上記同様に、直管形ＬＥＤランプ５または発光体５２を点消灯する操作に対する煩わしさが軽減される。  
【００４９】
また、本発明の上述した実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれるものである。
【符号の説明】
【００５０】
１，５１…照明器具、  ２…器具本体、  ３，４…一対のソケット、  ５…直管形発光ランプとしての直管形ＬＥＤランプ、  ６…点灯装置、  ７，７…一対の３路スイッチ、  ３０…引き紐、  ５２…発光体、  ５４…基板、  ５５…半導体発光素子としてのＬＥＤ素子
【図１】
2015032409.tif 000003
【図２】
2015032409.tif 000004
【図４】
2015032409.tif 000005
【図５】
2015032409.tif 000006
【図６】
2015032409.tif 000007
【図３】
2015032409.tif 000008